(57)【要約】【課題】地盤アンカーの定着体を、支持層内に確実に埋設することのできる地盤アンカー埋設孔の削孔方法を提供する。【解決手段】削孔ケーシング１１とインナーロッド１２とを備えた二重管削孔方式削孔機１０を用いて、構造物が構築される地盤の支持層Ｇ２に地盤アンカーを埋設するための孔を削孔する際に、所定の深度まで二重管削孔を行った後、インナーロッド１２のみを地盤中に貫入させて貫入時の打撃圧、回転圧、及び、給進圧を計測するとともに、計測された打撃圧、回転圧、及び、給進圧から算出される削孔エネルギーの大きさに基づいて、インナーロッド１２の先端が支持層Ｇ２内に到達したか否かを判定しながら、地盤アンカー埋設孔を削孔するようにした。【選択図】図１
2019035232.tif 000002
【特許請求の範囲】
【請求項１】
削孔ケーシングとインナーロッドとを備えた二重管削孔方式を用いた削孔機を用いて、構造物が構築される地盤の支持層に地盤アンカーを埋設するための孔を削孔する方法であって、
所定の深度まで二重管削孔を行った後、
前記インナーロッドのみを地盤中に貫入させて貫入時の打撃圧、回転圧、及び、給進圧を計測するとともに、前記計測された打撃圧、回転圧、及び、給進圧から算出される削孔エネルギーの大きさに基づいて、前記インナーロッドの先端が、前記支持層内に到達したか否かを判定し、
到達していないと判定された場合には、
前記インナーロッドを引き上げてから、前記インナーロッドを貫入させた深さの分の土を二重管削孔にて削孔・排出した後、再度前記インナーロッドのみを地盤中に貫入させて前記インナーロッドが前記支持層内に到達したか否かを判定する作業を、前記インナーロッドが前記支持層内に到達するまで繰り返し、
到達したと判定された場合には、前記支持層を、前記地盤アンカーを埋設する深さまで、二重管削孔にて削孔することを特徴とする地盤アンカー埋設孔の削孔方法。
【請求項２】
前記インナーロッドのみの貫入時には、送水を行わないことを特徴とする請求項１に記載の地盤アンカー埋設孔の削孔方法。
【請求項３】
前記二重管削孔方式を用いた削孔機は、インナーロッドの先端側の側面から送水する構成であることを特徴とする請求項２に記載の地盤アンカー埋設孔の削孔方法。
【発明の詳細な説明】
【技術分野】
【０００１】
本発明は、二重管削孔方式を用いた削孔機を用いて、構造物が構築される地盤の支持層に地盤アンカーを埋設するための孔を削孔する方法に関する。
【背景技術】
【０００２】
従来、構造物に浮き上がり力が作用する際には、図４に示すように、地盤Ｇの表層Ｇ１の下層にあるＮ値が高い支持層Ｇ２の内部に到達する孔１を削孔して、この孔（地盤アンカー埋設孔１）内に地盤アンカー２の定着体３を埋設した後、この定着体３と構造物２０とをワイヤなどの緊張材４で接続するとともに、構造物２０側に反力部材５を設けて、前記の定着体３と構造物２０との間に引張り力を付加することで、地下水等による構造物２０の浮き上がりを防止するようにしている（例えば、特許文献１参照）。
地盤アンカー埋設孔１は、一般に、削孔ケーシングとインナーロッドとを備えた二重管削孔方式を用いた削孔機を用いて削孔される。
【先行技術文献】
【特許文献】
【０００３】
【特許文献１】特開２０１１−１４４５５８号公報
【発明の概要】
【発明が解決しようとする課題】
【０００４】
ところで、地盤アンカー２を埋設する際には、予め、複数箇所のボーリングによる調査を行い、Ｎ値が大きくなった時点での深さを支持層Ｇ２までの深さ（支持層位置）とし、この支持層位置から所定の深さまで掘削してから、定着体３を埋設するようにしていた。
しかしながら、ボーリングによる調査の本数には限りがあること、支持層Ｇ２は必ずしも平面ではなく凹凸があることなどから、実際の支持層位置が予め推定された支持層位置と異なる場合があり、その結果、定着体３の埋設深さが浅くなったり、最悪の場合には、定着体３が表層Ｇ１内に突出してしまい、地盤との間に十分な摩擦力を得られない、といった問題点があった。
【０００５】
本発明は、従来の問題点に鑑みてなされたもので、地盤アンカーの定着体を、支持層内に確実に埋設することのできる地盤アンカー埋設孔の削孔方法を提供することを目的とする。
【課題を解決するための手段】
【０００６】
本発明は、削孔ケーシングとインナーロッドとを備えた二重管削孔方式を用いた削孔機（以下、二重管削孔方式削孔機という）を用いて、構造物が構築される地盤の支持層に地盤アンカーを埋設するための孔を削孔する方法であって、所定の深度まで二重管削孔を行った後、前記インナーロッドのみを地盤中に貫入させて貫入時の打撃圧、回転圧、及び、給進圧（押込み圧）を計測するとともに、前記計測された打撃圧、回転圧、及び、給進圧から算出される削孔エネルギーの大きさに基づいて、前記インナーロッドの先端が、前記支持層内に到達したか否かを判定し、到達していないと判定された場合には、前記インナーロッドを引き上げてから、前記インナーロッドを貫入させた深さの分の土を二重管削孔にて削孔・排出した後、再度前記インナーロッドのみを地盤中に貫入させて前記インナーロッドが前記支持層内に到達したか否かを判定する作業を、前記インナーロッドが前記支持層内に到達するまで繰り返し、到達したと判定された場合には、前記支持層を、前記地盤アンカーを埋設する深さまで、二重管削孔にて削孔することを特徴とする。
このように、支持層の位置（深さ）を確認してから支持層を削孔するようにしたので、地盤アンカーの定着体を、支持層内に確実に埋設することができる。
また、前記インナーロッドのみの貫入時には、送水を行わないようにすることで、エネルギーの算出精度の低い、水の送水圧と送水量とに依存する分のエネルギーを削孔エネルギーの計算から除くようにしたので、削孔エネルギーの計算精度を高めることができ、支持層の位置を精度よく確認することができる。
なお、二重管削孔を行う場合には、インナーロッドの内側の先端側から、掘削される地盤に水（削孔水）を供給しながら削孔することはいうまでもない。
また、前記二重管削孔方式削孔機を、インナーロッドの先端側の側面から送水する構成とすることで、インナーロッドを貫入したときの、インナーロッド先端の目詰まりを防止できるようにしたので、インナーロッドの貫入を容易に行うことができる。
【０００７】
なお、前記発明の概要は、本発明の必要な全ての特徴を列挙したものではなく、これらの特徴群のサブコンビネーションもまた、発明となり得る。
【図面の簡単な説明】
【０００８】
【図１】地盤アンカー埋設孔の削孔方法（前半）を示す図である。
【図２】地盤アンカー埋設孔の削孔方法（後半）を示す図である。
【図３】二重管削孔方式削孔機の先端部の構成を示す図である。
【図４】地盤アンカーを用いた構造物の支持方法を示す図である。
【発明を実施するための形態】
【０００９】
本実施の形態に係る地盤アンカー埋設孔の削孔方法について、図面に基づき説明する。
まず、図１（ａ）に示すように、地表Ｇ０に、削孔ケーシング１１とインナーロッド１２と回転駆動装置１３と給水装置１４とを備えた二重管削孔方式削孔機１０を設置して、所定の深度まで二重管削孔を行う。
構造物が構築される地盤Ｇは、一般的に、Ｎ値が小さくかつ強度の低い表層Ｇ１と、この表層Ｇ１の下層のＮ値が大きくかつ強度の高い支持層Ｇ２とを備えており、上記の「所定の深度」は、同図の一点鎖線で示す、予めボーリング等により求めておいた支持層Ｇ２の表面（推定支持層位置）までの深さＨを指す。
削孔ケーシング１１は、先端に削孔ビット１１ａを備えた円筒状の部材で、削孔ケーシング１１の内側には、先端にインナービット１２ａと噴出孔１２ｂとを備え、削孔ケーシング１１と同軸の円筒状のインナーロッド１２が設置されている。
回転駆動装置１３は、削孔ケーシング１１とインナーロッド１２とをそれぞれ回転させる回転機構と、削孔ケーシング１１とインナーロッド１２とを地盤Ｇ内に押込む推進機構と、削孔ケーシング１１とインナーロッド１２とに打撃力を与える打撃機構とを有するとともに、削孔ケーシング１１とインナーロッド１２の押込み力ＴV、打撃力Ｂf、打撃回数Ｂn、掘削速度Ｖd、回転数Ｒp、及び、回転トルクＴqを計測する図示しない複数のセンサーを備える。
また、給水装置１４は、インナーロッド１２の内部に切削水を供給する。
図３（ａ）に示すように、インナーロッド１２の内部に供給された削孔水は、インナーロッドの先端側の側面に設けられた噴出孔１２ｂから、掘削地盤面内に噴出される。同図に示すように、噴出孔１２ｂは、インナーロッド１２の側面に垂直な方向であっても良いし、図３（ｂ）に示すように、斜め上方に向かう方向であってもよい。噴出孔１２ｂの穴径は１０〜２０ｍｍで、インナーロッド１２の先端から３０〜１００ｍｍの位置に、２〜４箇所設けられる。
これは、本例では、後述するように、インナーロッド１２を送水せずに地盤Ｇ中に貫入させる工程を有するので、図３（ｃ）に示すように、インナーロッド１２の先端側の面である底面に噴出孔１２ｃを設けると、貫入時に噴出孔１２ｃに目詰まりが生じてしまい、二重管削孔時に送水ができなくなるおそれがあるためである。
一方、二重管削孔では、図１（ａ）の下向きの矢印で示すように、給水装置１４により、削孔水をインナーロッド１２の内側から送水するとともに、削孔ケーシング１１とインナーロッド１２とを同時に回転させながら地盤Ｇ内に押し込んで、地盤の削孔・土砂排出・水洗いを行う。このとき、土砂は、同図の上向きの矢印で示すように、削孔ケーシング１１とインナーロッド１２とに囲まれた空間から地表に排出される。
なお、二重管削孔では、削孔ケーシング１１とインナーロッド１２とは、それぞれ、所定の長さ（例えば、１．５ｍ）の管を継ぎ足しながら、地盤Ｇ内に押し込まれる。
【００１０】
所定の深度までの削孔が終了すると、図１（ｂ）に示すように、インナーロッド１２のみに、例えば、５０ｃｍの管を１本継ぎ足し、送水は行わずに、インナーロッド１２のみに、給進圧Ｐｖ、打撃圧Ｐs、及び、回転圧Ｐkを与えて、インナーロッド１２のみを地盤Ｇ中に貫入させながら削孔エネルギーＥを算出し、この削孔エネルギーＥの大きさに基づいて、インナーロッド１２の先端が、支持層Ｇ２内に到達したか否かを判定する。
具体的には、１０ｃｍ毎に掘削速度Ｖdを計測するとともに、与えた打撃圧Ｐs及び回転圧Ｐkから削孔エネルギーＥを１０ｃｍ毎に算出する。そして、最初と最後の１０ｃｍのデータは参考値とし、中間の３０ｃｍ間での平均値をＥaveとし、この平均値Ｅaveが、支持層Ｇ２に見合う設定値Ｅ2を超えていれば、図２（ａ）に示すように、インナーロッド１２の先端が支持層Ｇ２内に到達したと見做す。
削孔エネルギーＥは、地盤を１ｍ当たり掘削する時のエネルギーで、以下の式で与えられる。
Ｅ＝ＥV＋ＥR＋ＥP＋ＥW    （MN・m/m)
＝ＴV・Ｖd/Ｖd＋２πＴq・Ｒp/Ｖd＋Ｂp・Ｂn/Ｖd＋Ｐ・Ｑ/Ｖd
ここで、ＥV＝ＴV・Ｖd/Ｖdは押込みエネルギー（MN・m/m)で、ＴVは押込み力（MN)、Ｖdは掘削速度（m/min）である。
また、ＥR＝２πＴq・Ｒp/Ｖdは回転エネルギー（MN・m/m)で、Ｔqは回転トルク（MNm)、Ｒpは回転数（r/min）、Ｖdは掘削速度（m/min）である。
ＥP＝Ｂp・Ｂn/Ｖdは打撃エネルギー（MN・m/m)で、Ｂpは打撃１回当たりの打撃エネルギー（MNm/回)、Ｂnは打撃回数（回/min）、Ｖdは掘削速度（m/min）である。
ＥW＝Ｐ・Ｑ/Ｖdは掘削水による推進エネルギー（MN・m/m)で、Ｐは送水圧力（MN/m2)、Ｑは送水流量（m3/min）、Ｖdは掘削速度（m/min）である。
本例では、インナーロッド１２のみを地盤Ｇに貫入する場合には、送水を行っていない（Ｐ＝Ｑ＝０）ので、ＥW＝０である。
【００１１】
一方、平均値Ｅaveが設定値Ｅ2以下である場合には、図１（ｂ）に示すように、インナーロッド１２の先端は支持層Ｇ２内に到達してはいないので、図１（ｃ）及び図３（ａ）に示すように、インナーロッド１２を、例えば、５０ｃｍ引き上げた後に削孔ケーシング１１を５０ｃｍ継ぎ足し、インナーロッド１２を貫入させたときの５０ｃｍ間の土Ｋを、二重管削孔にて、削孔・土砂排出・水洗いを行なう。
５０ｃｍ間の二重管削孔が完了したら、インナーロッド１２に、更に５０ｃｍの管を継ぎ足し、送水は行わずに、図１（ｂ）の場合と同様に、インナーロッド１２のみを地盤Ｇ中に５０ｃｍ貫入させながら削孔エネルギーの平均値Ｅaveを算出する。そして、算出した削孔エネルギーの平均値Ｅaveと設定値Ｅ2とを比較して、インナーロッド１２の先端が支持層Ｇ２内に到達したか否かを判定する。
以上の操作を、インナーロッド１２の先端が支持層Ｇ２内に到達するまで繰り返す。
インナーロッド１２の先端が支持層Ｇ２内に到達したなら、図２（ｂ）に示すように、インナーロッド１２を５０ｃｍ引き上げた後に削孔ケーシング１１を５０ｃｍ継ぎ足し、インナーロッド１２を貫入させた５０ｃｍ間の土を、二重管削孔にて、削孔・土砂排出・水洗いを行なう。次いで、図２（ｃ）に示すように、支持層Ｇ２を、二重管削孔にて、所定の深さｈだけ削孔した後、削孔ケーシング１１とインナーロッド１２とを引き上げ、図４に示すような、地盤アンカー埋設孔１を形成する。
【００１２】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も発明の技術的範囲に含まれ得ることが、特許請求の範囲から明らかである。
【００１３】
例えば、前記実施の形態では、インナーロッド１２のみの貫入を行って地盤Ｇが支持層Ｇ２であるか否かを確認したが、支持層Ｇ２内においても、インナーロッド１２のみの貫入を行って、削孔エネルギーＥを算出し、算出した削孔エネルギーの平均値Ｅaveが設定値Ｅ2を超えていることを確認するようにしてもよい。
また、前記実施の形態では、所定の位置を、予めボーリング等により求めておいた推定支持層位置としたが、この推定支持層位置よりも０．５〜１．５ｍ程度深い位置を所定の位置としてもよい。
また、所定の位置を推定支持層位置よりも浅くしてもよい。
また、前記実施の形態では、削孔エネルギーＥを用いてインナーロッド１２の先端が、支持層Ｇ２内に到達したか否かを判定したが、インナーロッド１２の底面積をＳとすると、打撃圧はＰP＝ＥP/Ｓ（MN/m2)、回転圧はＰR＝ＥR/Ｓ（MN/m2)、給進圧はＰV＝ＥV/Ｓ（MN/m2)で与えられるので、削孔圧Ｐ＝ＰV＋ＰR＋ＰPを用いて、インナーロッド１２の先端が、支持層Ｇ２内に到達したか否かを判定してもよい。
【符号の説明】
【００１４】
１  地盤アンカー埋設孔、１０  二重管削孔方式削孔機、１１  削孔ケーシング、
１１ａ  削孔ビット、１２  インナーロッド、１２ａ  インナービット、
１２ｂ  噴出孔、１３  回転駆動装置、１４  給水装置、
Ｇ  地盤、Ｇ０  地表、Ｇ１  表層、Ｇ２  支持層。
【図１】
2019035232.tif 000003
【図２】
2019035232.tif 000004
【図３】
2019035232.tif 000005
【図４】
2019035232.tif 000006